(57)【特許請求の範囲】
【請求項１】
微生物が繁殖可能で空気の流通を可能とした土壌層と、
前記土壌層の下方に設けられ、前記土壌層を支持し、前記土壌層の底部のほぼ全域との間で空気を流通させる空気流通部と、
前記空気流通部に汚染空気を送給し、あるいは前記空気流通部から空気を吸い込む空気流動手段と、
を備えた空気浄化装置において、
前記空気流通部は、略々水平方向に延在するダクト状の空気流路を画成する空気流路画成構造と、該空気流路画成構造に隣接して該空気流路画成構造の側方に設けられた空気の流通が可能な土壌支持体とで構成されており、
前記空気流路画成構造は、互いに間隔をおいて配設された一対の側壁部と、それら一対の側壁部の上部に載置された蓋板とで構成され、前記一対の側壁部の間に前記空気流路が画成されており、前記側壁部は、空気の流通が可能な開口部を有するブロックが並べられかつ積み上げられて形成されており、前記ブロックの前記開口部を介して前記空気流通路と前記土壌支持体とが連通するようにした、
ことを特徴とする空気浄化装置。
【請求項２】
前記空気流路画成構造が更に、前記空気流路に沿って延在するコンクリート板を含み、前記一対の側壁部は該コンクリート板上に設けられる請求項１記載の空気浄化装置。
【請求項３】
前記土壌支持体は、多数の砕石から構成された下部と、網状の部材で構成された上部と、該土壌支持体の該上部の上面に配設された網状の膜部材とで構成されている請求項１記載の空気浄化装置。
【請求項４】
前記土壌層は平面視長方形を呈し、前記空気流路画成構造は前記長方形の対向する短辺のほぼ中央間に延設されている請求項１記載の空気浄化装置。
【請求項５】
前記ブロックはコンクリート製または合成樹脂製である請求項１記載の空気浄化装置。
【請求項６】
前記土壌層は、グレーチング蓋を備えた側溝を有する道路の側方箇所に配設され、前記空気流動手段は、前記道路上の汚染空気を前記グレーチング蓋を介して前記側溝へ吸い込んで前記空気流通部に送給する請求項１記載の空気浄化装置。
【請求項７】
前記コンクリート板の上面には、該コンクリート板の長手方向に沿って延在する排水溝が形成されている請求項２記載の空気浄化装置。
【発明の詳細な説明】
【０００１】
【発明の属する技術分野】
本発明は、自動車や工場等から排出される排気ガスで汚染された空気を浄化する空気浄化装置に関し、更に詳細には、土壌層の下部に汚染空気を導く空気流通部の構造に関する。
【０００２】
【従来の技術】
自動車や工場等から排出される排気ガスで汚染された空気を浄化する装置として、本出願人は地球環境保護の観点から土壌を用いた種々の形式のものを提案している。
このような土壌を用いた空気浄化装置では、微生物が繁殖可能で空気の流通を可能とした土壌層と、前記土壌層の底部のほぼ全域との間で空気を流通させる空気流通部と、前記空気流通部に汚染空気を送給し、あるいは空気流通部から空気を吸い込む空気流動手段とを備える。
そして、汚染空気を空気流通部に導き空気流通部から土壌層へと汚染空気を上方に流動させ、土壌層を通過する際に汚染空気を浄化し、土壌層の表面から浄化された清浄な空気を大気に戻し、あるいは、土壌層の表面から汚染空気を土壌中に吸い込み、空気流通部から浄化された清浄な空気を排出するようにしている。
【０００３】
【発明が解決しようとする課題】
しかしながら、上述のような空気浄化装置では、土壌層を支持する空気流通部を、土壌層の重量に耐えられるように、かつ、土壌層の底部全域との間で空気が流動できるように構成する必要があり、また、空気流通部は土壌を収容する容器の底部に設けられることから、製作に手間取り、コストダウンを図る上で不利があった。
また、空気流通部を、パイプ材等を用いて構成することも考えられるが、汚染空気の処理量に応じて土壌層の面積及び体積が大きくなった場合には、パイプの直径や長さを大きくしなければならず、やはり設置作業に手間取り、コストダウンを図る上での不利がある。
本発明は前記事情に鑑み案出されたものであって、本発明の目的は、土壌層の下方に設けられる空気流通部を簡単に製作でき、コストダウンを図れる空気浄化装置を提供することにある。
【０００４】
【課題を解決するための手段】
前記目的を達成するため、本発明は、微生物が繁殖可能で空気の流通を可能とした土壌層と、前記土壌層の下方に設けられ、前記土壌層を支持し、前記土壌層の底部のほぼ全域との間で空気を流通させる空気流通部と、前記空気流通部に汚染空気を送給し、あるいは前記空気流通部から空気を吸い込む空気流動手段とを備えた空気浄化装置において、前記空気流通部は、略々水平方向に延在するダクト状の空気流路を画成する空気流路画成構造と、該空気流路画成構造に隣接して該空気流路画成構造の側方に設けられた空気の流通が可能な土壌支持体とで構成されており、前記空気流路画成構造は、互いに間隔をおいて配設された一対の側壁部と、それら一対の側壁部の上部に載置された蓋板とで構成され、前記一対の側壁部の間に前記空気流路が画成されており、前記側壁部は、空気の流通が可能な開口部を有するブロックが並べられかつ積み上げられて形成されており、前記ブロックの前記開口部を介して前記空気流通路と前記土壌支持体とが連通するようにした、ことを特徴とする。
【０００５】
また、本発明は、前記空気流路画成構造が更に、前記空気流路に沿って延在するコンクリート板を含み、前記一対の側壁部は該コンクリート板上に設けられることを特徴とする。
また、本発明は、前記土壌支持体が、多数の砕石から構成された下部と、網状の部材で構成された上部と、該土壌支持体の該上部の上面に配設された網状の膜部材とで構成されていることを特徴とする。
また、本発明は、前記土壌層が平面視長方形を呈し、前記空気流路画成構造は前記長方形の対向する短辺のほぼ中央間に延設されていることを特徴とする。
また、本発明は、前記ブロックがコンクリート製または合成樹脂製であることを特徴とする。
また、本発明は、前記土壌層が、グレーチング蓋を備えた側溝を有する道路の側方箇所に配設され、前記空気流動手段は、前記道路上の汚染空気を前記グレーチング蓋を介して前記側溝へ吸い込んで前記空気流通部に送給することを特徴とする。
また、本発明は、前記コンクリート板の上面には、該コンクリート板の長手方向に沿って延在する排水溝が形成されていることを特徴とする。
【０００６】
本発明では、多数のブロックを並べ積み重ねることで大きな断面積を有する空気流路が簡単に製作され、このような空気流路と土壌支持体により空気浄化装置を安価に製作することが可能となる。
【０００７】
【発明の実施の形態】
以下、本発明の実施例を添付図面に従って説明する。
図１は本発明に係る空気浄化装置の平面図、図２は図１のＡ−Ａ線に沿った断面図、図３（Ａ）は図１のＢ−Ｂ’−Ｂ’−Ｂ線に沿った断面図、図３（Ｂ）は図１のＣ−Ｃ線に沿った断面図、図４は図１のＤ−Ｄ線に沿った断面図を示す。
空気浄化装置２は、土壌層４と、土壌層４の下方に設けられて土壌層４を支持する空気流通部６と、空気流通部６に汚染空気を送給する空気流動手段８等で構成されている。
空気浄化装置２は側溝１０を有する道路１２の側部に設置され、空気流動手段８により側溝１０を利用して道路１２上の汚染空気を吸い込み、空気流通部６から土壌層４を下から上に通過させることで汚染空気を浄化するようにしている。
【０００８】
前記土壌層４は、微生物が繁殖できるような土、例えば、黒土等をベースとしてパーライト等を混合し、空気が流動できるように空隙率を高めて構成され、土壌層４に植物を植える等は任意である。実施例では、図４に示すように、空気流通部６から汚染空気が土壌層４に円滑に流入されるように土壌層４の底部ではパーライト４０２のみを配置するようにしている。
前記土壌層４は、側壁１４で画成された平面視長方形の凹部内に、例えば、６０cm程度の深さとなるように充填され、図中左側の端部領域には表面のみに土壌が充填されている。
【０００９】
前記空気流動手段８は、ダクト１６、ブロア１８、点検会所２０、給気会所２２、側溝１０等により構成され、これらダクト１６、ブロア１８、点検会所２０、給気会所２２は、図１に示すように、左側の端部領域に配置され、図中２４は分電盤を示す。
前記側溝１０には、土壌層４及び空気流通部６の左側の端部の領域に近接する側溝１０箇所を中心として側溝１０に沿って蓋２４が被せられ、前記側溝１０箇所を中心としてほぼ等しい距離離れた二箇所では側溝１０にグレーチング蓋２６が被せられ、このグレーチング蓋２６部分から汚染空気を吸い込むようにしている。そして、側溝１０と蓋２４により画成された空間部１００２は、ダクト１６、ブロア１８、点検会所２０、給気会所２２に接続され、ブロア１８の駆動によりグレーチング蓋２６部分から汚染空気を側溝１０内に吸い込み、ダクト１６、ブロア１８、点検会所２０、給気会所２２に汚染空気を送給するように構成されている。
【００１０】
前記空気流通部６は、土壌層４の下方のほぼ全域に配設され土壌層４を支えると共に土壌層４の下方全域での空気の流通を可能とした土壌支持体３２と、この土壌支持体３２中に延在する空気流路画成構造３４とで構成されている。
図１及び図３から明らかなように、空気流路画成構造３４は、略々水平方向に延在してダクト状の空気流路４４を画成しており、土壌支持体３２は、空気流路画成構造３４に隣接して空気流路画成構造３４の側方に設けられている。
前記土壌支持体３２は、下部が１０cm程度の砕石からなる砕石層３２０２で構成され、中間部が２〜３cm程度の砕石からなる砕石層３２０４で構成され、上部が土木暗渠集排水材料のジオテキスタイル（geo-textile ）等のような網状の部材３２０６で構成され、さらにこの網状の部材３２０６の上面にナイロンメッシュ等の網状の膜部材３２０８が敷設されて構成されている。
【００１１】
前記空気流路画成構造３４は、下面に敷設されたコンクリート板３６と、このコンクリート板３６上に互いに間隔をおいて配設された一対の側壁部４０と、それら一対の側壁部４０の上部に載置されたコンクリート製の蓋板４２とで構成され、一対の側壁部４０の間にダクト状の空気流路４４が画成されている。各々の側壁部４０は、ブロック３８が並べられかつ積み上げられて形成されており、各ブロック３８には、空気流路画成構造３４の内外を連通させる（即ち、空気流路画成構造３４の内部に画成された空気流路４４と、空気流路画成構造３４の外側面に隣接して配設された土壌支持体３２とを連通させる）開口部４６が形成されている。尚、ブロック３８はコンクリート製または合成樹脂製であり、実施例ではコンクリート製の空洞ブロックを用いている。前記コンクリート板３６は、図３（Ｂ）に示すように、左側が右側よりも下方となるように傾斜して配置され、図４に示すように、その中央にコンクリート板３６の長手方向に延在する排水溝４８が形成され、土壌層４や空気流通部６を通過した雨水は、図２に示すように、前記排水溝４８から給気会所２２、管体５０、トラップ桝５２を介して不図示の排水路に導かれる。
【００１２】
空気浄化装置２による汚染空気の浄化は次のようになされる。
ブロア１８の駆動により、グレーチング蓋２６部分から汚染空気が側溝１０内に吸い込まれ、汚染空気は、ブロア１８、点検会所２０、給気会所２２から空気流路４４に圧送される。
そして、その汚染空気は、空気流路４４からブロック３８の開口部４６を介して空気流路画成構造３４の両側方の土壌支持体３２に送給され、それら土壌支持体３２を通過して土壌層４の底部に送給される。
そして、汚染空気が土壌層４を通過する際、土壌のフィルターとしての物理的な作用により粉塵の捕捉や、メタン等の炭化水素ガス等の不純成分の吸着が行なわれる。また、微生物により不純成分等、汚染物質の分解が行なわれる。
土壌の表面や、或は土壌の内部で空気が流動する部分には、好気性微生物が繁殖し、土壌の内部で空気が流動しない部分には、嫌気性微生物が繁殖し、これら微生物の菌体内で消費されたり、呼吸で使われる等することで、例えば、一酸化炭素は主に二酸化炭素に変化され、メタンガスは主に二酸化炭素と水に分解される。
そして、このように汚染物質が除去された清浄な空気が、土壌層４の表面から大気に戻される。
【００１３】
本実施例によれば、多数のブロック３８を並べ積み重ねることで空気流路画成構造３４を構成したので、ブロック３８を単に並べる作業により空気流路画成構造３４を簡単に製作することができる。
そして、空気流路画成構造３４は多数のブロック３８からなるので土壌層４の重量にも十分に耐えられると共に、ブロック３８の現地への運搬も簡単になされ、更に、現地におけるブロック３８の設置も簡単になされ、また、土壌支持体３２も砕石や網状部材を積み重ねることで簡単に製作され、前記空気流路画成構造３４と合わせて空気流通部６を現場において専門の職人を要せずに簡単に製作でき、空気浄化装置２を安価に製作することが可能となる。
また、コンクリートや鋼製のパイプを用いて空気流路画成構造３４を構成する場合に較べて、低い高さで大きな空気流路４４の断面積を確保でき、空気浄化装置２の高さを低く抑える上でも有利となる。
【００１４】
また、空気流路画成構造３４の底部にコンクリート板３６を設けたので、多数のブロック３８を並べて積み重ねる作業も平坦なコンクリート面上において効率良く行われ、また、コンクリート板３６に実施例のように排水溝４８を設けると簡単に構造により空気浄化装置２に排水機能を持たせることが可能となる。
また、側溝１０を利用して汚染空気を吸い込むようにしたので、道路１２上の汚染空気が拡散される前に、言い換えると、拡散される前の濃い濃度の汚染空気を吸い込め、空気浄化効率を高める上で有利となる。
【００１５】
尚、実施例では、側溝１０を利用して汚染空気を吸い込む場合について説明したが、側溝１０を利用するか否かは任意であり、また、実施例では、汚染空気を土壌層４中で下から上に流動させる空気浄化方式の場合について説明したが、本発明は、汚染空気を土壌の表面から吸い込み、土壌層４中で上から下へ流動させる空気浄化方式にも無論適用される。
【００１６】
【発明の効果】
以上の説明で明らかなように、本発明は、微生物が繁殖可能で空気の流通を可能とした土壌層と、前記土壌層の下方に設けられ、前記土壌層を支持し、前記土壌層の底部のほぼ全域との間で空気を流通させる空気流通部と、前記空気流通部に汚染空気を送給し、あるいは前記空気流通部から空気を吸い込む空気流動手段とを備えた空気浄化装置において、前記空気流通部は、略々水平方向に延在するダクト状の空気流路を画成する空気流路画成構造と、該空気流路画成構造に隣接して該空気流路画成構造の側方に設けられた空気の流通が可能な土壌支持体とで構成されており、前記空気流路画成構造は、互いに間隔をおいて配設された一対の側壁部と、それら一対の側壁部の上部に載置された蓋板とで構成され、前記一対の側壁部の間に前記空気流路が画成されており、前記側壁部は、空気の流通が可能な開口部を有するブロックが並べられかつ積み上げられて形成されており、前記ブロックの前記開口部を介して前記空気流通路と前記土壌支持体とが連通するようにした。
そのため、多数のブロックを並べ積み重ねる作業により大きな断面積を有する空気流路を簡単に製作でき、このような空気流路画成構造と土壌支持体により専門の職人を要せずに空気浄化装置を安価に製作することが可能となる。
【図面の簡単な説明】
【図１】  本発明に係る空気浄化装置の平面図である。
【図２】  図１のＡ−Ａ線に沿った断面図である。
【図３】  （Ａ）は図１のＢ−Ｂ’−Ｂ’−Ｂ線に沿った断面図、（Ｂ）は図１のＣ−Ｃ線に沿った断面図である。
【図４】  図１のＤ−Ｄ線に沿った断面図である。
【符号の説明】
２  空気浄化装置
４  土壌層
６  空気流通部
８  空気流動手段
１０  側溝
１８  ブロア
３２  土壌支持体
３４  空気流路画成構造
３６  コンクリート板
３８  ブロック
４０  側壁部
４２  蓋板
４４  空気流路
【図１】
0003726197.tif 000002
【図２】
0003726197.tif 000003
【図３】
0003726197.tif 000004
【図４】
0003726197.tif 000005